(57)【要約】【課題】種々の要因から、大きな畳が要望されている。しかし、天然イグサではその長さが自ずから決まっており、長いものは生産できない。また、最近模造イグサなるものが出現し実際畳表として使用されている。これならば、基本的にはイグサの長さに制限はなく、長いものが製造可能である。しかしながら、畳表は製造できても、１．５ｍ×３ｍ等では、床が大きすぎて搬送ができない。結局、従来の０．９×１．８ｍ程度のサイズにならざるを得ないのである。【解決手段】模造イグサを織った１枚の畳表を用いたもので、縦横ともに１．５ｍ以上の畳であって、少なくとも３つの畳床を用い、畳表の両端部に別個の畳床を固着し、中間部には更に他の１枚又は複数の畳床を固着せず嵌め込んだ。【選択図】  図１
2005002638.tif 000002
【特許請求の範囲】
【請求項１】
模造イグサを織った１枚の畳表を用いたもので、縦横ともに１．５ｍ以上の畳であって、少なくとも３つの畳床を用い、畳表の両端部に別個の畳床を固着し、中間部には更に他の１枚又は複数の畳床を固着せず嵌め込んだことを特徴とする大畳。
【請求項２】
イグサと直交する辺に畳縁を設けたものである請求項１記載の大畳。
【発明の詳細な説明】
【０００１】
【発明の属する技術分野】
本発明は、大畳に関するものである。
【０００２】
【従来の技術】
畳は古来イグサを織って製造されてきた。よって、そのサイズは自ずと決まったものであった。現在では、特殊なものを除いて半帖サイズと１帖サイズである。同じ１帖サイズでも何種類かはあるが、大きいものでも９０×１８０ｃｍ程度までである。これより大きいものはない。特殊形状のものでも、基本的には同じであり前記したサイズ以上のものはない。
【０００３】
これとは別に、畳はその用途によって、大きいものが好まれる場合がある。例えば、呉服の陳列場では呉服の模様を邪魔しないように縁が少ない方がよいとされている。このため、実際に縁なし畳にしたり、縁の色を淡いものにしているところが多い。
【０００４】
しかし、縁なし畳では隣接する畳同士が接する部分でイグサ同士が接するため、どうしても溝ができ見栄えが悪いし、ほこりも溜まりやすい。また、縁を淡色にしても存在は同じである。
【０００５】
そこで、畳を大きくすることが望まれる。しかし、天然イグサではその長さが自ずから決まっており、長いものは生産できない。
【０００６】
しかしながら、最近模造イグサなるものが出現し実際畳表として使用されている。これは、プラスチックや紙等によってイグサ様のもの（模造イグサ）製造しそれを織って畳表にするのである。これならば、基本的にはイグサの長さに制限はなく、長いものが製造可能である。
【０００７】
【発明が解決しようとする課題】
しかしながら、畳表は製造できても、１．５ｍ×３ｍ等では、床が大きすぎて搬送ができない。結局、従来の０．９×１．８ｍ程度のサイズにならざるを得ないのである。
【０００８】
【課題を解決するための手段】
以上のような状況に鑑み、本発明者は鋭意研究の結果本発明大畳を完成させたものであり、その特徴とするところは、模造イグサを織った１枚の畳表を用いたもので、縦横ともに１．５ｍ以上の畳であって、少なくとも３つの畳床を用い、畳表の両端部に別個の畳床を固着し、中間部には更に他の１枚又は複数の畳床を固着せず嵌め込んだ点にある。
【０００９】
ここで、模造イグサとは、プラスチックや紙等で製造した外観がイグサ様のものを言う。製造方法や原料は特に限定するものではなく、どのようなものでもよい。既に、市販されているものでよい。
【００１０】
本発明はあくまでも１帖（枚）の畳であり、畳表は１枚である。複数枚を合わせた物ではない。また、そのサイズも、縦、横ともに１．５ｍ以上である。これ以上でなければ大畳とは言えないためである。
【００１１】
本発明の第１の特徴は前記した大きな畳表を固着する畳床にある。単に従来の畳床を大きくしたものでは、搬送がほとんど不可能か非常に困難である。
本発明では、畳床を少なくとも３つ使用する点が新規である。そして、畳表の両端部に１枚づつ固着し、その他の畳床（１又は複数）は固着しないのである。固着はしないが、敷き詰めれば移動することはなく問題はない。また、フローリング等に置く、置畳として使用する場合には裏面にゴム等の滑り防止具を設ければよい。
【００１２】
両端の畳床と畳表の固着は、通常の方法でよい。即ち、縫着でも接着でもホッチキス止めでもよい。この時の両端の畳床のサイズは自由であるが、搬送できる程度にする。例えば、畳が１．８ｍ×３．６ｍ（イグサの長さが１．８ｍ）の場合、１．８ｍ×０．９ｍの床を４枚準備し、その内の２枚を畳表の両端に固着し、他の２枚を固着しないものとして使用する。
【００１３】
本発明において畳縁の付け方は自由であるが、すべてをござのように畳表に先に固着しておいてもよい。そして、その状態で畳床に固着するのである。
また、これとは別の方法として、固着する畳床（両端の）には畳縁を通常の方法で固着し、その他の部分（固着しない畳床の部分）には畳縁をござのように畳表に固着するという方法もある。この場合、固着しない畳床の側面に畳縁を貼付しておくか、畳縁と同様の模様のシートを貼付してもよい。
【００１４】
【発明の実施の形態】
以下図面に示す実施の形態に基づいて、本発明をより詳細に説明する。
図１は、本発明大畳１の１例を示す平面図である。これは、縦（イグサと平行辺）１．８ｍで、横３．６ｍの大畳で、１枚の畳表２で構成されている。通常の畳の２倍（面積にして４倍）の大きさであり、従来では考えられない大きさである。縁３は、縫着方法は後述するが、通常のものを付けている。
【００１５】
図２は、この図１の例の畳床３の状態を示す平面図である。４枚の畳床が横に並んでいる。この両端の２枚に畳表が固着（縫着）され、中央の２枚には固着されていない。畳表が弛まないように、畳床４枚の合計長さ（横幅）を畳表より少し長くして、中央の２枚を載置して、その上に左右の畳床の付いた畳表を被せると、両方か左右どちらかが少し浮く程度にする。それを押し込むようにすると畳表がぴんと張る。この例では、畳床を大きくする代りに、畳床と畳床の中間にスペーサー４を挟んでいる。スペーサー４は１つでも２つでもよい。
【００１６】
図３は、図１をイグサと直交する線で破断した断面図である。４枚の畳床の中間にスペーサーが挟まれ、両端の畳床に畳表が縫着されている。
【００１７】
図４は、図１の側面図である。両端部の畳床は縁３によって側面がカバーされているが、中心の２つの畳床は縁３も固着されていない。縁３のその部分（中央の２つの畳床の上に位置する部分）は、縁は畳表のみに固着され、ござの縁部のようになっている。よって、中央の２つの畳床はまったく別部材である。
これでも、敷き込んでしまえばまったく側面は見えないので、上からは分からない。
【００１８】
フローリングに置く、置畳として使用する場合には、側面が見えるため、中央の固着しない畳床の側面に縁を貼付しておくのがよい。このようにすると、見かけはほとんど分からない。
【００１９】
【発明の効果】
本発明大畳には次のような大きな利点がある。
（１）  縦横ともに１．５ｍ以上であるため、非常に大きな畳である。
（２）  長い模造イグサを用いた畳表を用いていること、床を工夫しているため大きな畳が可能になった。
（３）  畳床が３つ以上に分割され、その一部を畳表に固着していないため、搬送や保管が容易である。非常に小さく折りたたむことができる。
（４）  従来にない部屋の感じがでる。重厚な雰囲気にもできる。
【図面の簡単な説明】
【図１】本発明大畳の１例を示す平面図である。
【図２】図１の畳の畳床の状態を示す平面図である。
【図３】図１をイグサと直交する線で破断した断面図である。
【図４】図１の例の側面図である。
【符号の説明】
１  本発明大畳
２  畳表
３  縁
４  畳床
５  スペーサー
【図１】
2005002638.tif 000003
【図２】
2005002638.tif 000004
【図３】
2005002638.tif 000005
【図４】
2005002638.tif 000006